(57)【要約】【課題】トイレ、洗面所または脱衣所における床を改修するにあたって、廃棄物の発生が少なく、床のまわりの損傷が少なく、作業の手間が少なく、工具や知識等の専門性が少なく、力仕事が必要なく、新規の床材を取り扱いやすい床改修方法を提供する。【解決手段】トイレ、洗面所または脱衣所における床２０を改修する方法であり；既存の床材２２の表面に両面粘着テープ３０を配置し；両面粘着テープ３０に新規の樹脂製床材（出入口側床材１０ａや奥側床材）を貼り付ける、床改修方法。【選択図】図１０
2018131870.tif 000002
【特許請求の範囲】
【請求項１】
トイレ、洗面所または脱衣所における床を改修する方法であり、
既存の床材の表面に両面粘着テープを配置し、
前記両面粘着テープに新規の樹脂製床材を貼り付ける、床改修方法。
【請求項２】
前記既存の床材が、床下地の上に設けられたクッションフロアまたはフローリングである、請求項１に記載の床改修方法。
【請求項３】
前記新規の樹脂製床材が、ビニル系床タイルである、請求項１または２に記載の床改修方法。
【請求項４】
前記新規の樹脂製床材が、複数に分割されている、請求項１〜３のいずれか一項に記載の床改修方法。
【請求項５】
前記既存の床材の周縁の表面に両面粘着テープを配置し、かつ前記既存の床材の周縁のうちの対向する２辺の間の表面に、該２辺に対して平行な複数本の両面粘着テープを互いに間隔をあけて配置する、請求項１〜４のいずれか一項に記載の床改修方法。
【請求項６】
前記既存の床材の表面に配置された、前記既存の床材とは反対側の表面にはくり紙が残った状態の両面粘着テープの上に、前記新規の樹脂製床材を重ね、
前記新規の樹脂製床材の周縁のうちの１辺を前記両面粘着テープに貼り付けた後、前記新規の樹脂製床材の、前記両面粘着テープに貼り付けていない部分をめくり上げ、
前記両面粘着テープからはくり紙を徐々にはがしながら、前記両面粘着テープに前記新規の樹脂製床材を徐々に貼り付ける、請求項１〜５のいずれか一項に記載の床改修方法。
【発明の詳細な説明】
【技術分野】
【０００１】
本発明は、トイレ、洗面所または脱衣所における床を改修する方法に関する。
【背景技術】
【０００２】
トイレ、洗面所、脱衣所等の水廻りの床は、床下地の上にクッションフロア、フローリング等の床材を設けた構造とされていることが多い。
トイレ、洗面所、脱衣所等を改修（リフォーム）する際には、古くなった床材を新しい床材に交換することがある。
【０００３】
トイレの床を改修する方法としては、床から既存の床材をはがして床下地を露出させ、複数に分割された床仕上げ板を、床仕上げ板の裏面にあらかじめ貼着された両面粘着テープによって床下地の表面に貼り付ける方法が提案されている（特許文献１）。
【先行技術文献】
【特許文献】
【０００４】
【特許文献１】特許第３９１６４１０号公報
【発明の概要】
【発明が解決しようとする課題】
【０００５】
しかし、特許文献１に記載の床改修方法には、下記の問題がある。
・床から既存の床材をはがすため、はがした既存の床材が廃棄物となる。
・床から既存の床材をはがす際に、床のまわりの巾木、シーリング材等が損傷しやすい。
・床から既存の床材をはがす作業自体にたいへん手間がかかる。
・床仕上げ板は、基材が木質系板材（合板、ＭＤＦ等）や無機質系板材（セメント板、石膏板等）であるため重く、搬入や設置が力仕事となる。
・両面粘着テープが床仕上げ板の裏面に貼着されているため、両面粘着テープからはくり紙をはがした状態では両面粘着テープが関係のないところに貼り付きやすい。そのため、狭いトイレの中では床仕上げ板を取り扱いにくい。
【０００６】
本発明は、トイレ、洗面所または脱衣所における床を改修するにあたって、廃棄物の発生が少なく、床のまわりの損傷が少なく、作業の手間が少なく、工具や知識等の専門性が少なく、力仕事が必要なく、新規の床材を取り扱いやすい床改修方法を提供する。
【課題を解決するための手段】
【０００７】
本発明は、下記の態様を有する。
＜１＞トイレ、洗面所または脱衣所における床を改修する方法であり；既存の床材の表面に両面粘着テープを配置し；前記両面粘着テープに新規の樹脂製床材を貼り付ける、床改修方法。
＜２＞前記既存の床材が、床下地の上に設けられたクッションフロアまたはフローリングである、前記＜１＞の床改修方法。
＜３＞前記新規の樹脂製床材が、ビニル系床タイルである、前記＜１＞または＜２＞の床改修方法。
＜４＞前記新規の樹脂製床材が、複数に分割されている、前記＜１＞〜＜３＞のいずれかの床改修方法。
＜５＞前記既存の床材の周縁の表面に両面粘着テープを配置し、かつ前記既存の床材の周縁のうちの対向する２辺の間の表面に、該２辺に対して平行な複数本の両面粘着テープを互いに間隔をあけて配置する、前記＜１＞〜＜４＞のいずれかの床改修方法。
＜６＞前記既存の床材の表面に配置された、前記既存の床材とは反対側の表面にはくり紙が残った状態の両面粘着テープの上に、前記新規の樹脂製床材を重ね；前記新規の樹脂製床材の周縁のうちの１辺を前記両面粘着テープに貼り付けた後、前記新規の樹脂製床材の、前記両面粘着テープに貼り付けていない部分をめくり上げ；前記両面粘着テープからはくり紙を徐々にはがしながら、前記両面粘着テープに前記新規の樹脂製床材を徐々に貼り付ける、前記＜１＞〜＜５＞のいずれかの床改修方法。
【発明の効果】
【０００８】
本発明の床改修方法によれば、トイレ、洗面所または脱衣所における床を改修するにあたって、廃棄物の発生が少なく、床のまわりの損傷が少なく、作業の手間が少なく、工具や知識等専門性が少なく、力仕事が必要なく、新規の床材を取り扱いやすい。
【図面の簡単な説明】
【０００９】
【図１】複層ビニル床タイルの一般的な構成の一例を示す断面図である。
【図２】便器等を取り外したトイレの床の状態を示す上面図である。
【図３】既存の床材の上に出入口側床材および奥側床材を仮置きした状態を示す上面図である。
【図４】既存の床材の表面の、新規の床材の継ぎ目に対応する位置に両面粘着テープを配置した状態を示す上面図である。
【図５】既存の床材の表面の全体に両面粘着テープを配置した状態を示す上面図である。
【図６】出入口側の既存の床材の上に、両面粘着テープを挟んで出入口側床材を仮置きした状態を示す上面図である。
【図７】既存の床材の表面に配置された両面粘着テープに新規の床材を貼り付ける手順を示す側面図である。
【図８】既存の床材の表面に配置された両面粘着テープに新規の床材を貼り付ける手順を示す側面図である。
【図９】既存の床材の表面に配置された両面粘着テープに新規の床材を貼り付ける手順を示す側面図である。
【図１０】奥側の既存の床材の表面に配置された両面粘着テープからにはくり紙をはがした状態を示す上面図である。
【図１１】既存の床材の表面に配置された両面粘着テープに出入口側床材および奥側床材を貼り付けた状態を示す上面図である。
【図１２】床の周縁に見切り材およびシーリング材を設けた状態を示す上面図である。
【発明を実施するための形態】
【００１０】
＜床改修方法＞
本発明の床改修方法は、トイレ、洗面所または脱衣所（洗面所と脱衣所が一緒になった洗面脱衣所を含む。）における床を改修する方法であり；既存の床材の表面に両面粘着テープを配置し；両面粘着テープに新規の樹脂製床材を貼り付ける方法である。
【００１１】
（既存の床材）
既存の床材としては、樹脂製床材（クッションフロア等）、木質床仕上げ材（フローリング等）、陶磁器製タイル等が挙げられる。既存の床材としては、両面粘着テープを確実に貼り付けることができ、両面粘着テープが容易にはくりしない点から、クッションフロアまたはフローリングが好ましく、クッションフロアがより好ましい。
【００１２】
（両面粘着テープ）
両面粘着テープとしては、ブチル両面テープ、アクリル両面テープ等が挙げられる。両面粘着テープとしては、比較的厚さが薄く（０．１〜０．３ｍｍ）、粘着性が高く、耐水性等に優れる点から、アクリル両面テープが好ましい。
【００１３】
（新規の樹脂製床材）
樹脂製床材としては、ＪＩＳ  Ａ  ５７０５：２０１０に記載のビニル系床材等が挙げられる。ビニル系床材は、曲げたり、巻いたりするすることができるため、搬送や搬入がしやすく、狭い場所であっても施工性がよい。
ビニル系床材としては、ビニル系床タイルおよびビニル系床シートが挙げられる。
【００１４】
ビニル系床タイルとしては、接着タイプおよび置敷タイプが挙げられる。
ビニル系床タイルとしては、バインダー含有率が３０質量％以上である単層ビニル床タイル、バインダー含有率が３０質量％以上である複層ビニル床タイル、バインダー含有率が３０質量％未満であるコンポジションビニル床タイルが挙げられる。なお、バインダーとは、ビニル系床材を構成する基本材料（ビニル樹脂、可塑剤および安定剤）である。
ビニル系床タイルは、通常、１辺が４００〜１０００ｍｍの板状のシートである。ビニル系床タイルは、曲げることができる程度の柔軟性を有するため、搬送や搬入がしやすく、狭い場所であっても施工性がよい。
【００１５】
ビニル系床シートとしては、発泡層のないビニル系床シートおよび発泡層のあるビニル系床シートが挙げられる。
発泡層のないビニル系床シートとしては、単層ビニル床シート、複層ビニル床シートが挙げられる。
発泡層のあるビニル系床シートとしては、密度が６５０ｋｇ／ｍ３以上である発泡複層ビニル床シート、密度が６５０ｋｇ／ｍ３未満であるクッションフロアが挙げられる。
ビニル系床シートは、通常、ロール状に巻くことができる長尺のシートである。ビニル系床シートは、巻くことができるため、搬送や搬入がしやすく、狭い場所であっても施工性がよい。
【００１６】
ビニル系床材は、ビニル樹脂、可塑剤および安定剤を含み、必要に応じて充てん剤、着色剤、発泡剤、織布、不織布、リサイクル材等を含む。
ビニル樹脂としては、塩化ビニル樹脂、塩化ビニル−酢酸ビニル共重合樹脂等が挙げられる。
可塑剤としては、ジオクチルフタレート、ジノニルフタレート等が挙げられる。
安定剤としては、カルシウム・亜鉛系安定剤、バリウム・亜鉛系安定剤等が挙げられる。
充てん剤としては、炭酸カルシウム、クレー、ワラストナイト等が挙げられる。
着色剤としては、有機系顔料、無機系顔料等が挙げられる。
発泡剤としては、アゾビスアマイド等が挙げられる。
織布としては、ガラス繊維、合成繊維、天然繊維等を材料成分とするものが挙げられる。
不織布としては、ガラス繊維、パルプ、合成繊維、天然繊維等を材料成分とするものが挙げられる。
リサイクル材としては、ビニル系床材の生産段階で発生する不適合製品等；流通段階で発生するものおよび施工時に発生する端材、余材等；使用済みビニル系床材等が挙げられる。
【００１７】
樹脂製床材としては、既存の床材がクッション性の高い床材（クッションフロア等）の場合に、この上に敷かれる樹脂製床材が柔軟なビニル系床シートであると床のへこみ量が大きくなりすぎる点から、ビニル系床シートに比べ硬質であるビニル系床タイルが好ましい。
【００１８】
ビニル系床タイルとしては、意匠性が高く高級感がある点から、複層ビニル床タイルまたはコンポジションビニル床タイルが好ましく、バインダー含有率が高くて比較的柔軟であり、既存の床材に表面に配置された両面粘着テープに貼り付ける際に、湾曲させてめくり上げることが容易であり、施工性に優れる点から、複層ビニル床タイルがより好ましい。
【００１９】
図１は、複層ビニル床タイルの一般的な構成の一例を示す断面図である。
複層ビニル床タイル１０は、ガラスクロス１２が埋設された基材層１４と、基材層１４の表面に設けられた印刷・柄層１６と、印刷・柄層１６の表面に設けられた透明保護層１８とを有する。
基材層１４は、塩化ビニル樹脂、炭酸カルシウム、可塑剤等を含む。
印刷・柄層１６は、塩化ビニル樹脂、可塑剤等を含む。
透明保護層１８は、塩化ビニル樹脂、可塑剤等を含む。
【００２０】
複層ビニル床タイルの他の例としては、下記のものが挙げられる。
・下地樹脂地と中芯樹脂地と上生地樹脂地と透明樹脂皮膜とが順に積層され、上生地樹脂地の一部に切抜部が形成され、切抜部に装飾樹脂が嵌め込まれたプラスチックタイル（特開昭６０−９７３２号公報）。
・基材と着色隠蔽シートと模様シートと不定形の模様チップとが順に積層された合成樹脂製床材（特開平５−１４６３号公報）。
・基材層と、着色等が施されたエンボスシート層と、光透過性のエンボス保護層と、光透過性の表面保護層とを備えた意匠シート（特開２０００−３０７７３４号公報）。
【００２１】
複層ビニル床タイルの市販品としては、フクビ化学工業社製のソフトタイル等が挙げられる。
【００２２】
（床改修方法の一実施形態）
本発明の床改修方法の一実施形態を、図面を参照しながら説明する。
図２に示すように、トイレの床２０における便器、床と壁（巾木）との境界に設けられたシーリング材等を除去し、既存の床材２２、給水管２４および排水管２６以外のものが無い状態とする。図において床２０の下側が出入口側Ａとなり、床２０の上側が奥側Ｂとなる。
【００２３】
床２０の幅よりも１辺の長さが大きくされた２枚の樹脂製床材（例えば、複層ビニル床タイル１０）を用意する。一方の樹脂製床材を出入口側床材とし、他方の樹脂製床材を奥側床材とする。
床２０を採寸し、床２０の採寸寸法よりも少し小さめになるように、２枚の樹脂製床材から出入口側床材および奥側床材を切り出す。また、奥側床材に給水管２４用の穴および排水管２６用の穴をあける。
【００２４】
図３に示すように、既存の床材２２の上に、出入口側床材１０ａおよび奥側床材１０ｂを仮置きする。出入口側床材１０ａや奥側床材１０ｂと巾木（図示略）やドア枠の下枠（図示略）との間には、隙間ができる。この状態にて、出入口側床材１０ａと奥側床材１０ｂとの継ぎ目Ｓの位置を確認する。
仮置きした出入口側床材１０ａおよび奥側床材１０ｂを取り外す。
【００２５】
図４に示すように、継ぎ目Ｓの位置が両面粘着テープ３０の幅の中央にくるように、既存の床材２２の表面の、新規の床材の継ぎ目Ｓに対応する位置に、片面のはくり紙をはがした両面粘着テープ３０を貼ることによって配置する。
図５に示すように、既存の床材２２の周縁の４辺の表面に、片面のはくり紙をはがした両面粘着テープ３０を貼ることによって配置する。また、継ぎ目Ｓの両面粘着テープ３０を挟んだ出入口側Ａおよび奥側Ｂのそれぞれの既存の床材２２の表面について、既存の床材２２の周縁のうちの奥行きに沿った対向する２辺の間に、該２辺に対して平行な３本の両面粘着テープを、片面のはくり紙をはがして互いに間隔をあけて貼ることによって配置する。
【００２６】
図６に示すように、出入口側Ａの既存の床材２２の上に、両面粘着テープ３０を挟んで出入口側床材１０ａを、位置合わせをした状態で仮置きする。
図７に示すように、出入口側床材１０ａの出入口側Ａの端部をめくり上げ、両面粘着テープ３０の出入口側Ａのはくり紙３０ａをはがす。
【００２７】
図８に示すように、出入口側床材１０ａの出入口側Ａの端部を、はくり紙３０ａをはがした両面粘着テープ３０に貼り付けた後、両面粘着テープ３０に貼り付けていない奥側Ｂの出入口側床材１０ａをめくり上げる。
図９に示すように、両面粘着テープ３０からはくり紙３０ａを奥側Ｂに向かって徐々にはがしながら、両面粘着テープ３０に出入口側床材１０ａを徐々に貼り付ける。
【００２８】
図１０に示すように、奥側Ｂの既存の床材２２の左半分の両面粘着テープ３０のうち、さらにその排水管２６側の半分の両面粘着テープ３０からはくり紙３０ａをはがす。
奥側Ｂの既存の床材２２の右半分の上に、両面粘着テープ３０を挟んで奥側床材１０ｂを、位置合わせをした状態で仮置きする。この際、奥側Ｂの既存の床材２２の左半分からは、はくり紙３０ａをはがした両面粘着テープ３０に貼り付かないように奥側床材１０ｂを浮かせておく。
【００２９】
奥側Ｂの既存の床材２２の左半分のさらにその排水管２６側の半分の両面粘着テープ３０に奥側床材１０ｂを貼り付ける。
奥側Ｂの既存の床材２２の左半分において、両面粘着テープ３０に貼り付けていない残りの奥側床材１０ｂをめくり上げる。
奥側Ｂの既存の床材２２の左半分の残りの両面粘着テープ３０からはくり紙３０ａを給水管２４側に向かって徐々にはがしながら、両面粘着テープ３０に奥側床材１０ｂを徐々に貼り付ける。
【００３０】
奥側Ｂの既存の床材２２の右半分において、奥側床材１０ｂをめくり上げる。
奥側Ｂの既存の床材２２の右半分の両面粘着テープ３０からはくり紙３０ａを給水管２４がない側に向かって徐々にはがしながら、両面粘着テープ３０に奥側床材１０ｂを徐々に貼り付ける。
図１１に示すように、既存の床材２２の表面に配置された両面粘着テープ３０への出入口側床材１０ａおよび奥側床材１０ｂの貼り付けを完了する。
【００３１】
図１２に示すように、床２０の周縁の出入口側Ａ以外の３辺に、見切り材４０を両面粘着テープによって貼り付ける。また、床２０の出入口側Ａにおける出入口側床材１０ａとドア枠の下枠（図示略）との間の隙間にシーリング材４２を充填してシーリングする。
【００３２】
（作用機序）
１．以上説明した本発明の床改修方法にあっては、既存の床材の表面に両面粘着テープを配置し；両面粘着テープに新規の樹脂製床材を貼り付ける方法であるため、下記の効果を発揮できる。
・床から既存の床材をはがさないため、既存の床材が廃棄物とならず、廃棄物の発生が少ない。
・床から既存の床材をはがさないため、床のまわりの巾木、シーリング材等が損傷しにくい。
・床から既存の床材をはがす作業がないため、作業の手間が少ない。
・樹脂製床材を両面粘着テープで既存の床材の表面に貼り付けるだけであるため、工具や知識等の専門性が少ない。
・樹脂製床材は、基材が木質系板材や無機質系板材である床仕上げ板よりも軽いため、力仕事が必要ない。
・両面粘着テープが既存の床材の表面に配置されているため、樹脂製床材が関係の無いところに貼り付くことがない。そのため、狭いトイレや洗面所の中で新規の床材を取り扱いやすい。
【００３３】
２．また、既存の床材が、床下地の上に設けられたクッションフロアまたはフローリングであれば、既存の床材に両面粘着テープを確実に貼り付けることができ、既存の床材から両面粘着テープが容易にはくりしない。
３．また、新規の樹脂製床材が、ビニル系床タイルであれば、既存の床材がクッション性の高い床材（クッションフロア等）であっても、この上に新規の樹脂製床材を重ねた構造の床においてへこみ量が大きくならない。
【００３４】
４．新規の樹脂製床材が、複数に分割されていれば、狭いトイレや洗面所の中での新規の床材の取り扱いやすさがさらに向上する。
５．既存の床材の周縁の表面に両面粘着テープを配置し、かつ既存の床材の周縁のうちの対向する２辺の間の表面に、該２辺に対して平行な複数本の両面粘着テープを互いに間隔をあけて配置すれば、既存の床材の上に新規の樹脂製床材を確実に固定できる。
６．既存の床材の表面に配置された、既存の床材とは反対側の表面にはくり紙が残った状態の両面粘着テープの上に、新規の樹脂製床材を重ね；新規の樹脂製床材の周縁のうちの１辺を前記両面粘着テープに貼り付けた後、新規の樹脂製床材の、両面粘着テープに貼り付けていない部分をめくり上げ；両面粘着テープからはくり紙を徐々にはがしながら、両面粘着テープに前記新規の樹脂製床材を徐々に貼り付ければ、既存の床材の上に新規の樹脂製床材を位置ずれすることなく固定できる。
【００３５】
（他の実施形態）
なお、本発明の床改修方法は、既存の床材の表面に両面粘着テープを配置し；両面粘着テープに新規の樹脂製床材を貼り付ける方法であればよく、図示例の方法に限定されない。
例えば、新規の樹脂製床材は、複層ビニル床タイルに限定されず、樹脂製のものであれば、曲げたり、巻いたりできない硬質の樹脂製床材であっても構わない。
新規の樹脂製床材は、必ずしも分割する必要はなく、１枚のみであってもよい。新規の樹脂製床材は、３枚以上に分割されていてもよい。
両面粘着テープの配置は、床の形状、床の寸法、新規の樹脂製床材の寸法等に合わせて適宜設定すればよい。
見切り材は、必ずしも設けなくてもよい。
【産業上の利用可能性】
【００３６】
本発明の床改修方法は、トイレ、洗面所または脱衣所における床の改修方法として有用である。
【符号の説明】
【００３７】
１０  複層ビニル床タイル、
１０ａ  出入口側床材、
１０ｂ  奥側床材、
１２  ガラスクロス、
１４  基材層、
１６  印刷・柄層、
１８  透明保護層、
２０  床、
２２  既存の床材、
２４  給水管、
２６  排水管、
３０  両面粘着テープ、
３０ａ  はくり紙、
４０  見切り材、
４２  シーリング材、
Ａ  出入口側、
Ｂ  奥側、
Ｓ  継ぎ目。
【図１】
2018131870.tif 000003
【図２】
2018131870.tif 000004
【図３】
2018131870.tif 000005
【図４】
2018131870.tif 000006
【図５】
2018131870.tif 000007
【図６】
2018131870.tif 000008
【図７】
2018131870.tif 000009
【図８】
2018131870.tif 000010
【図９】
2018131870.tif 000011
【図１０】
2018131870.tif 000012
【図１１】
2018131870.tif 000013
【図１２】
2018131870.tif 000014